(57)【要約】【課題】専用の漂白剤を使用することなく、漂白効果を得る。【解決手段】洗剤液を霧化して洗浄槽２内に供給する霧化手段６と、前記洗浄槽２内に洗浄水を噴射する洗浄ノズル４と、前記霧化手段６を制御する制御手段８と、通常洗浄コースと漂白コースを選択するコース入力手段１４とを備え、前記制御手段８は、漂白コースを選択したときの前記霧化手段６の霧化時間が、通常洗浄コースを選択したときの霧化時間より長くなるようにしたものである。【選択図】図１
2007244566.tif 000002
【特許請求の範囲】
【請求項１】
被洗浄物を収容する洗浄槽と、洗剤液を霧化して前記洗浄槽内に供給する霧化手段と、前記洗浄槽内に洗浄水を噴射する洗浄ノズルと、前記霧化手段を制御する制御手段と、通常洗浄コースと漂白コースを選択するコース入力手段とを備え、前記制御手段は、漂白コースを選択したときの前記霧化手段の霧化時間が、通常洗浄コースを選択したときの霧化時間より長くなるようにした食器洗浄機。
【請求項２】
制御手段は、漂白コースを選択したときの洗浄水の洗剤濃度が、通常洗浄コースを選択したときの洗剤濃度より高くなるようにした請求項１記載の食器洗浄機。
【請求項３】
洗浄槽に洗浄水を供給する給水手段を設け、制御手段は、コース入力手段により入力されたコースの各々に設定された所定の洗剤濃度となるように洗浄水を供給するようにした請求項２記載の食器洗浄機。
【請求項４】
洗浄槽に洗剤を投入する洗剤投入手段を設け、制御手段は、コース入力手段により入力されたコースの各々に設定された所定の洗剤量を投入するようにした請求項２記載の食器洗浄機。
【請求項５】
制御手段は、漂白コースを選択したときの洗浄ノズルからの噴射時間が、通常洗浄コースを選択したときの洗浄ノズルからの噴射時間より長くなるようにした請求項１〜４のいずれか１項に記載の食器洗浄機。
【請求項６】
洗浄水を加熱する加熱手段を設け、制御手段は、漂白コースを選択したときの洗浄水の温度が、通常洗浄コースを選択したときの洗浄水の温度より高くなるようにした請求項１〜５のいずれか１項に記載の食器洗浄機。
【請求項７】
洗浄工程後に被洗浄物をすすぐすすぎ工程を有し、制御手段は、漂白コースを選択したときのすすぎ工程の回数が、通常洗浄コースを選択したときのすすぎ工程の回数より少なくなるようにした請求項１〜６のいずれか１項に記載の食器洗浄機。
【請求項８】
洗浄工程後に被洗浄物をすすぐすすぎ工程を有し、制御手段は、漂白コースを選択したときのすすぎ工程のすすぎ時間が、通常洗浄コースを選択したときのすすぎ工程のすすぎ時間より短くなるようにした請求項１〜７のいずれか１項に記載の食器洗浄機。
【発明の詳細な説明】
【技術分野】
【０００１】
本発明は、食器等の被洗浄物の漂白を行うことができる食器洗浄機に関するものである。
【背景技術】
【０００２】
湯呑み等に付着した茶渋や、まな板等に付着した色汚れ等を漂白する食器洗浄機は、漂白剤を洗浄槽内に投入して動作させる漂白専用コースを設ける手段が知られている（例えば、特許文献１参照）。以下、特許文献１に開示されている従来の食器洗浄機について図面を用いて説明する。
【０００３】
図１５は、従来の食器洗浄機の外観斜視図、図１６は、同断面図である。図１５において、４０は食器洗浄機の本体、４１は本体４０の前面に設けた操作部で、操作部４１内には、電源スイッチ４２、漂白専用コース表示部４３、投入剤種類表示部４４、運転コース選択ボタン４５等を設けている。また、図１６において、本体４０の前面に開閉可能な蓋５１が設けてあり、蓋５１を開けて食器の出し入れを行い、洗浄やすすぎ工程時には蓋５１を閉める。また、本体４０の内部に設けた洗浄槽４７には食器かご４８を設け、被洗浄物である食器を格納する構成となっている。給水弁４６を開けることにより水道水の給水が行われ、洗浄槽４７内に給水された水道水は投入された洗剤や漂白剤と混合した状態で洗浄水となり、洗浄槽４７内の洗浄水は洗浄ポンプ５０により洗浄ノズル４９から食器へ噴射される。
【０００４】
次に、動作について説明すると、漂白専用コースを運転する場合、まず、蓋５１を開けて洗浄槽４７内に漂白剤を適当量投入する。そして、蓋５１を閉じて本体４０前面の操作部４１にある電源スイッチ４２を押し、続いて運転コース選択ボタン４５を選択してから運転を開始する。このとき漂白専用コース表示部４３が点灯し、漂白専用コースが運転中であることを使用者に知らせる。
【０００５】
運転が開始されると、まず、給水弁４６が開いて洗浄槽４７に洗浄水を供給する給水工程に入る。給水が終了すると洗浄ポンプ５０が動作する。そして洗浄ノズル４９から洗浄水を噴射することによって、漂白剤を溶解しながら食器などを漂白する。ところが漂白剤が溶けきる３分程度経過した後、洗浄ポンプ５０は運転、停止を繰り返す間欠運転に入る。次に、食器などをすすぐすすぎ工程を数回行った後、必要に応じて乾燥工程を行い、工程全体は終了する。
【０００６】
また、強力な洗浄が行える従来の食器洗浄機として、高濃度洗剤液を微粒化して被洗浄物に噴霧する洗浄水微粒化手段を備えた食器洗浄機が開示されている（例えば、特許文献２参照）。以下、特許文献２に開示されている従来の食器洗浄機について図面を用いて説明する。
【０００７】
図１７は、特許文献２に開示されている従来の食器洗浄機の構成を示す断面図である。図１７において、食器洗浄機の本体５２には、蓋６２で開閉可能な洗浄槽５３を設け、食器等の被洗浄物６３は食器かご６１にセットされ、洗浄槽５３内に収容する。給水弁５４は洗浄槽５３に洗浄水を供給する。洗浄ポンプ５６は洗浄水を加圧して、複数の噴射孔を設けた洗浄ノズル５５に供給し、洗浄ノズル５５より洗浄水を噴射することで被洗浄物６３の洗浄（第１の洗浄）を行う。
【０００８】
洗浄槽５３の開口部の前縁部の内側に、高濃度の洗浄水をつくり出すための高濃度洗浄水生成手段５９と、そこで生成された洗浄水を微粒化して飛散させる洗浄水微粒化手段５７を備えており、第２の洗浄を行う。また、高濃度洗浄水生成手段５９に給水するための第２の給水弁５８と使用者が洗剤を投入する洗剤投入部６０を設置している。
【０００９】
食器洗浄機の基本動作としては、食器等の被洗浄物６３を食器かご６１にセットして洗浄槽５３に収納し、洗剤を投入した後、蓋６２により食器洗浄機の本体５２の開口部を閉塞し、運転を開始する。被洗浄物６３の汚れを落とす洗浄工程、付着した洗剤や残菜を流すすすぎ工程、そして被洗浄物６３に付着している水適を乾燥させる乾燥工程の順に実行する。
【００１０】
洗浄工程の動作は、まず、使用者が洗剤を所定の洗剤投入部６０に投入し、その洗剤は高濃度洗浄水生成手段５９に入る。蓋６２を閉塞し、運転をスタートすると、まず、第２の洗浄手段による洗浄が行われる。第２の給水弁５８が動作し、高濃度洗浄水生成手段５９に給水され、給水の水流で洗剤は溶解し、高い濃度の洗浄水を生成する。次に、洗浄水微粒化手段５７により高濃度洗浄水生成手段５９で生成された高濃度の洗浄水を洗浄槽５３内に飛散させ、被洗浄物６３に洗浄水を付着させる。
【００１１】
以上のように、従来の洗浄水の洗剤濃度よりも高濃度の洗浄水を汚れに対して作用させることで、洗剤の強力な作用で汚れと反応したり、食器表面から汚れを浮かせたりするなど、洗浄性能を高めることができる。第２の洗浄手段による洗浄を所定時間行った後は、給水弁５４を開き、洗浄槽５３内に所定量の洗浄水を供給し、洗浄ポンプ（第１の洗浄手段）５６を運転して、洗浄水を洗浄ノズル５５より噴射し、第１の洗浄を実行する。この際、高濃度洗浄水生成手段５９内に残った洗浄水や洗剤は、第１の洗浄手段で用いる洗浄水と混合させるようにしている。所定の洗浄を終えると、汚れを含む洗浄水は機外に排出され、洗浄工程は終了する。続いて、すすぎ工程、乾燥工程を行い、運転を終了する。
【特許文献１】特開２００１−１９０４８０号公報
【特許文献２】特開２００５−２２４４８８号公報
【発明の開示】
【発明が解決しようとする課題】
【００１２】
しかしながら、特許文献１で開示されている従来の食器洗浄機は、通常洗浄時の洗剤とは異なる漂白剤を洗浄槽４７内に投入する必要があるので、使用者が通常使用時の洗剤と漂白剤との両者を用意し、かつ、選択したコースに応じて使用する洗剤種類を変えなければならないという課題を有していた。
【００１３】
また、特許文献２で開示されている従来の食器洗浄機は、特許文献１で開示されている食器洗浄機の様に２種類の洗剤を用意する必要は無く、通常洗浄時と同じ種類の洗剤を同一量使用した場合にでも洗浄力が高まるものであるが、湯呑み等に付着した茶渋やまな板等に付着した色汚れ等を漂白するための充分な能力を有していないと言う課題を有していた。
【課題を解決するための手段】
【００１４】
前記従来技術の課題を解決するために、本発明の食器洗浄機は、被洗浄物を収容する洗浄槽と、洗剤液を霧化して前記洗浄槽内に供給する霧化手段と、前記洗浄槽内に洗浄水を噴射する洗浄ノズルと、前記霧化手段を制御する制御手段と、通常洗浄コースと漂白コースを選択するコース入力手段とを備え、前記制御手段は、漂白コースを選択したときの前記霧化手段の霧化時間が、通常洗浄コースを選択したときの霧化時間より長くなるようにしたものである。
【発明の効果】
【００１５】
本発明の食器洗浄機は、専用の漂白剤を使用することなく、漂白効果を得ることができる。
【発明を実施するための最良の形態】
【００１６】
第１の発明は、被洗浄物を収容する洗浄槽と、洗剤液を霧化して前記洗浄槽内に供給する霧化手段と、前記洗浄槽内に洗浄水を噴射する洗浄ノズルと、前記霧化手段を制御する制御手段と、通常洗浄コースと漂白コースを選択するコース入力手段とを備え、前記制御手段は、漂白コースを選択したときの前記霧化手段の霧化時間が、通常洗浄コースを選択したときの霧化時間より長くなるようにしたことにより、漂白剤を別途用意する必要なく通常洗浄時に使用する洗剤と同一種類の洗剤を用いたままで、漂白作用にとって重要な洗剤成分と茶渋等の漂白対象との接触時間が長時間化することによる漂白性能の著しい向上が実現することとなる。また、使用者が漂白コースを選択した時に霧化手段による霧化時間が長くなるので、通常の洗浄時には不必要に霧化時間や洗浄時間が長くなることがなく、時間的に効率良く食器洗浄を行うことができる。
【００１７】
第２の発明は、特に、第１の発明の制御手段は、漂白コースを選択したときの洗浄水の洗剤濃度が、通常洗浄コースを選択したときの洗剤濃度より高くなるようにしたことにより、漂白コースを選択したときに洗浄水の洗剤濃度が高まるので、洗剤に含まれる過酸化水素等の強い酸化力を有する成分の濃度も高まり、洗剤液の霧化時間の長時間化と合わせて、漂白力が更に向上する。また、通常洗浄コース選択時には洗剤濃度は通常と変わらないので、洗剤濃度が高まることにより洗浄水がより強いアルカリ性となって透明なガラスコップ等が侵食され白化する等の悪影響を防止できる。
【００１８】
第３の発明は、特に、第２の発明の洗浄槽に洗浄水を供給する給水手段を設け、制御手段は、コース入力手段により入力されたコースの各々に設定された所定の洗剤濃度となるように洗浄水を供給するようにしたことにより、漂白コース選択時に給水量を調整することによって洗剤濃度を高めるので、洗剤中に含まれる過酸化水素等の強い酸化力を有する成分の濃度も高まるので、その様な洗剤液を霧化手段で霧化した場合、茶渋等の漂白対象物への漂白力が更に強まることとなる。また、通常洗浄コース選択時には洗剤濃度は通常と変わらないので、洗剤濃度が高まることにより洗浄水がより強いアルカリ性となって透明なガラスコップ等が侵食され白化する等の悪影響を防止できる。
【００１９】
第４の発明は、特に、第２の発明の洗浄槽に洗剤を投入する洗剤投入手段を設け、制御手段は、コース入力手段により入力されたコースの各々に設定された所定の洗剤量を投入するようにしたことにより、選択したコースに最適の洗剤量が自動的に投入されることとなり、使用者にとっての高い利便性が実現する。また、通常洗浄コース選択時と漂白コース選択時とで洗剤種類を使い分ける必要が無く、同一種類の洗剤をあらかじめ洗剤投入手段に貯蔵しておくだけで良いので、このことも使用者にとって高い利便性が実現することととなる。また、通常洗浄コース選択時には洗剤濃度は通常と変わらないので、洗剤濃度が高まることにより洗浄水がより強いアルカリ性となって透明なガラスコップ等が侵食され白化する等の悪影響を防止できる。
【００２０】
第５の発明は、特に、第１〜第４のいずれか１つの発明の制御手段は、漂白コースを選択したときの洗浄ノズルからの噴射時間が、通常洗浄コースを選択したときの洗浄ノズルからの噴射時間より長くなるようにしたことにより、漂白コース選択時に茶渋等の漂白対象を漂白する手段としては、通常洗浄コース選択時より長い霧化時間を有する霧化手段で発生した霧化された洗剤液による漂白と、通常洗浄コースより長い噴射時間を有する洗浄ノズルからの洗浄液の噴射であるが、霧化された洗剤液が茶渋等の漂白対象を酸化分解し、かつ、噴射された洗浄水が漂白対象を被洗浄物から剥離するよう働くので、強い漂白力が実現することとなる。
【００２１】
第６の発明は、特に、第１〜第５のいずれか１つの発明の洗浄水を加熱する加熱手段を設け、制御手段は、漂白コースを選択したときの洗浄水の温度が、通常洗浄コースを選択したときの洗浄水の温度より高くなるようにしたことにより、洗浄水の温度上昇に伴い洗剤に含まれる過酸化水素等の強い酸化力を有する成分の酸化力は更に向上し、かつ、洗剤に含まれる界面活性剤の界面活性効果もさらに向上するので、強い漂白力が実現することとなる。
【００２２】
第７の発明は、特に、第１〜第６のいずれか１つの発明の洗浄工程後に被洗浄物をすすぐすすぎ工程を有し、制御手段は、漂白コースを選択したときのすすぎ工程の回数が、通常洗浄コースを選択したときのすすぎ工程の回数より少なくなるようにしたことにより、漂白コース選択時には、被洗浄物として通常想定されるものは茶渋の堆積した湯呑みや色汚れの沈着したまな板等であり、これらはすすぎ工程で軽くすすぐだけで充分であり、一方で、例えば、食べ残しや油汚れ等が多量に付着した皿等の様なすすぎ工程に長時間が必要なものは漂白コース選択時の被洗浄物としては考え難い。従って、本発明の食器洗浄機によれば、漂白コース選択時には通常コース選択時に比べて洗浄工程後のすすぎ工程の回数を少なくすることで、漂白コース選択時に想定される被洗浄物の充分なすすぎが短時間で行われることになり、時間的に効率の高い食器洗浄が実現することとなる。
【００２３】
第８の発明によれば、特に、第１〜第７のいずれか１つの発明の洗浄工程後に被洗浄物をすすぐすすぎ工程を有し、制御手段は、漂白コースを選択したときのすすぎ工程のすすぎ時間が、通常洗浄コースを選択したときのすすぎ工程のすすぎ時間より短くなるようにしたことにより、漂白コース選択時には通常コース選択時に比べて洗浄工程後のすすぎ工程の時間を短くすることで、漂白コース選択時に想定される被洗浄物の充分なすすぎが短時間で行われることになり、時間的に効率の高い食器洗浄が実現することとなる。
【００２４】
以下、本発明の実施の形態について、図面を参照しながら説明する。なお、本実施の形態によって本発明が限定されるものではない。
【００２５】
（実施の形態１）
図１は、本実施の形態１の食器洗浄機の構成を示す断面図、図２は、同食器洗浄機の制御手段の動作説明図、図３は、通常洗浄コース選択時のタイムチャート、図４は、漂白コース選択時のタイムチャートを示したものである。
【００２６】
図１〜図４において、食器洗浄機の本体１の中に洗浄槽２を設け、食器かご９に食器等の被洗浄物１１を収納する構成となっている。給水弁（給水手段）３が制御装置８からの信号に基いて開閉を行うことで水の供給が調整される。洗剤投入部７に置かれた洗剤と水とが混合した洗浄水が洗浄ポンプ５によって洗浄ノズル（洗浄手段）４から噴射され、被洗浄物１１の洗浄が行われる。霧化装置（霧化手段）６は、コース入力装置（コース入力手段）１４の入力により、制御装置（制御手段）８の信号に基いて洗剤液を霧化して洗浄槽２内の被洗浄物１１へ噴霧する。本体１の前面部に設けた蓋１０は、使用者により開閉可能な構造となっており、被洗浄物１１の出し入れの時には開状態とし、被洗浄物の洗浄やすすぎを行う時には閉状態とする。
【００２７】
次に、本実施の形態における食器洗浄機の動作について説明する。先ず、使用者は予め所定量の洗剤を洗剤投入部７に入れ、その後コース入力装置１４でコースを選択する。制御装置８は、選択されたコースに基いて給水弁３が開状態となり給水が開始され、水位検知装置１５が所定の水位を検知すると給水弁３は閉状態となり給水は完了する。
【００２８】
その後、使用者が通常洗浄コースを選択していた場合は、図３に示す霧化装置６の運転状況の通り、制御装置８は、運転時間Ｓ１で霧化装置６にオンを指示して洗剤液の霧化が開始され、運転時間Ｓ２で霧化装置６にオフを指示して、Ｔ１（秒）にわたって霧化装置６はオン状態となる。
【００２９】
また、使用者が漂白コースを選択していた場合は、図４に示す霧化装置６の運転状況の通り、制御装置８は運転時間Ｓ３で霧化装置６にオンを指示して洗剤液の霧化が開始され、運転時間Ｓ４で霧化装置６にオフを指示して、Ｔ２（秒）にわたって霧化装置６はオン状態となる。そして、霧化装置６のオン時間は、Ｔ２＞Ｔ１に設定している。
【００３０】
その後、制御装置８は洗浄ポンプ５に運転動作を指示し、洗浄水が洗浄ノズル４から所定時間（Ｔ３）噴射して洗浄が行われた後に、制御装置８は洗浄ポンプ５の動作停止を指示し、洗浄ノズル４による洗浄が終了する。
【００３１】
制御装置８は、コース入力手段であるコース入力装置１４からの使用者が選択したコースに関する信号を受け取り、洗剤液を霧化して噴霧する霧化手段である霧化装置６に対してオンまたはオフを指示し、洗浄水を噴射する洗浄ポンプ５の運転または停止を指示し、給水手段である給水弁３の開または閉を指示し、給水弁３によって供給された水の水位検知装置１５からの給水完了信号を受け取る。
【００３２】
以下、本実施の形態１の食器洗浄機を用いて湯飲みに堆積した茶渋に対する漂白性能を評価したので、それについて述べる。茶渋の堆積した湯飲みとしては、実際に一般家庭で使用され、丁寧に洗浄されずに放置された湯呑みを使用した。その様な湯呑み５個を食器かご９に下向けに設置し、食器洗浄機用の市販の洗剤５ｇを洗剤投入部７に入れて食器洗浄機を動作させた。
【００３３】
なお本評価では、通常洗浄コースでの霧化装置の霧化時間Ｔ１を３００秒とし、漂白コースでの霧化装置の霧化時間Ｔ２を５００秒とした。また、洗浄ポンプ５を動作させて洗浄ノズル４から噴射する動作時間Ｔ３を６００秒とした。
【００３４】
通常洗浄コースで湯飲みを洗浄した場合、茶渋はほとんど除去されなかったのに対して、漂白コースで洗浄を行った場合は、若干ながら茶渋が除去されることが確認できた。
【００３５】
以上の様に本実施の形態１の食器洗浄機によれば、通常の洗浄時に用いる洗剤と同一の洗剤を用いて、通常洗浄時には除去することが困難な湯飲みに堆積した茶渋を除去することができる食器洗浄機が実現する。
【００３６】
（実施の形態２）
次に、本発明の第２の実施の形態について説明する。本実施の形態２は、漂白コースを選択したときの洗浄水の洗剤濃度が、通常洗浄コースを選択したときの洗剤濃度より高くなるようにしたものである。他の構成は実施の形態１と同じであり、詳細な説明は省略する。
【００３７】
コース入力装置１４によって漂白コースが選択されると、制御装置８は給水弁３に開を指示することで水は洗浄槽２内に供給される。水は選択したコース毎に設定さけた所定の水位にまで到達すると、水位検知装置１５が制御装置８へ給水完了信号を送り、制御装置８は給水完了状態であることを認識して、給水弁３へ閉の指示を送り、給水は止まる。なお、漂白コースでの満水位は通常洗浄コースでの満水位よりも低く設定されており、その結果、漂白コース選択時の洗浄水の洗剤濃度は通常洗浄コース選択時の洗浄水の洗剤濃度よりも高くなる。
【００３８】
以下、本実施の形態２の食器洗浄機を用いて湯飲みに堆積した茶渋に対する漂白性能を評価したので、それについて述べる。
【００３９】
茶渋の堆積した湯飲みとしては、実施の形態１と同様に、実際に一般家庭で使用され、丁寧に洗浄されずに放置された湯呑みを使用した。その様な湯呑み５個を食器かご９に下向けに設置し、食器洗浄機用の市販の洗剤５ｇを洗剤投入部７に入れて食器洗浄機を動作させた。
【００４０】
なお本評価での通常洗浄コースでの霧化装置の霧化時間Ｔ１、漂白コースでの霧化装置の霧化時間Ｔ２、洗浄ノズルの動作時間Ｔ３は実施の形態１と同一である。
【００４１】
通常洗浄コースで湯飲みを洗浄した場合、茶渋はほとんど除去されなかったのに対して、漂白コースで洗浄を行った場合は、若干ながら茶渋が除去されることが確認できた。また、実施の形態１での漂白コース選択時よりも若干ながら漂白力が高まっていることが確認できた。
【００４２】
漂白コースを選択したときに洗浄水の洗剤濃度が高まるので、洗剤に含まれる過酸化水素等の強い酸化力を有する成分の濃度も高まり、洗剤液の霧化時間の長時間化と合わせて、漂白力が更に向上する。また、通常洗浄コース選択時には洗剤濃度は通常と変わらないので、洗剤濃度が高まることにより洗浄水がより強いアルカリ性となって透明なガラスコップ等が侵食され白化する等の悪影響を防止できる。
【００４３】
（実施の形態３）
次に、本発明の第３の実施の形態について図面を用いて説明する。図５は、本実施の形態３の食器洗浄機の構成を示す断面図、図６は、同食器洗浄機の制御手段の動作説明図である。使用者が選択したコース毎に設定されている洗剤量を自動投入する洗剤投入装置１２を設けたものである。他の構成は他の構成は実施の形態１と同じであり、詳細な説明は省略する。
【００４４】
使用者がコース入力装置１４に選択コースを入力する。この場合、入力できる選択コースは少なくとも通常洗浄コースと漂白コースとを備える。使用者が入力した選択コースの信号は制御装置８に送られ、制御装置８は選択コースを認識する。
【００４５】
その後、制御装置８は洗剤投入装置１２に洗剤投入を指示し、使用者が選択したコース毎にあらかじめ設定されている所定量の洗剤を投入する。なお、漂白コース選択時の投入洗剤量は通常洗浄コース選択時の投入洗剤量に比べて多くなるよう設定されている。
【００４６】
以上の様に本実施の形態３の食器洗浄機によれば、使用者が洗浄毎に毎回洗剤を投入するという煩雑な作業を行うことなく、選択したコースに最適の洗剤量が自動的に投入されることとなり、使用者にとっての高い利便性が実現する。また、通常洗浄コース選択時と漂白コース選択時とで洗剤種類を使い分ける必要が無く、同一種類の洗剤をあらかじめ洗剤投入手段に貯蔵しておくだけで良いので、このことも使用者にとって高い利便性が実現することととなる。また、通常洗浄コース選択時には洗剤濃度は通常と変わらないので、洗剤濃度が高まることにより洗浄水がより強いアルカリ性となって透明なガラスコップ等が侵食され白化する等の悪影響を防止できる。
【００４７】
（実施の形態４）
次に、本発明の第４の実施の形態について図面を用いて説明する。図７は、使用者が通常洗浄コースを選択した場合の洗浄ノズルから洗浄水が噴射される運転状況を示し、図８は、使用者が漂白コースを選択した場合の運転状況を示したものであり、通常洗浄コースでは、運転時間Ｓ５からＳ６までのＴ３（秒）にわたって洗浄ノズル４から洗浄水が噴射され、漂白コースでは、運転時間Ｓ７からＳ８までのＴ４（秒）にわたって洗浄ノズル４から洗浄水が噴射されるようにしたものである。他の構成は他の構成は実施の形態１と同じであり、詳細な説明は省略する。
【００４８】
使用者が通常洗浄コースを選択していた場合は、図３に示す霧化装置６の運転状況の通り、制御装置８は運転時間Ｓ１で霧化装置６にオンを指示して洗剤液の霧化が開始され、運転時間Ｓ２で霧化装置６にオフを指示して、Ｔ１（秒）にわたって霧化装置６はオン状態となる。
【００４９】
また、使用者が漂白コースを選択していた場合は、図３に示す霧化装置６の運転状況の通り、制御装置８は運転時間Ｓ３で霧化装置６にオンを指示して洗剤液の霧化が開始され、運転時間Ｓ４で霧化装置６にオフを指示して、Ｔ２（秒）にわたって霧化装置６はオン状態となる。そして、霧化装置６のオン時間は、Ｔ２＞Ｔ１に設定している。
【００５０】
その後、使用者が通常洗浄コースを選択していた場合は、図７に示す洗浄ノズルの運転状況の通り、制御装置８は運転時間Ｓ５で洗浄水の噴射が開始され、運転時間Ｓ６で洗浄水の噴射を停止して、Ｔ３（秒）にわたって洗浄ノズル４から洗浄水が噴射される。
【００５１】
また、使用者が漂白コースを選択していた場合は、図８に示す洗浄ノズルの運転状況の通り、制御装置８は運転時間Ｓ７で洗浄水の噴射が開始され、運転時間Ｓ８で洗浄水の噴射を停止して、Ｔ４（秒）にわたって洗浄水が噴射される。そして、洗浄水の噴射時間は、Ｔ４＞Ｔ３に設定している。
【００５２】
なお本評価では、通常洗浄コースでの霧化装置の霧化時間Ｔ１、漂白コースでの霧化装置の霧化時間Ｔ２、通常洗浄コース選択時の洗浄ノズルの動作時間Ｔ３は実施の形態１と同一とし、漂白コース選択時の洗浄ノズルの動作時間Ｔ４を９００秒とした。
【００５３】
通常洗浄コースで湯飲みを洗浄した場合、茶渋はほとんど除去されなかったのに対して、漂白コースで洗浄を行った場合は、実施の形態３と比較してより白く茶渋が漂白されることが確認できた。
【００５４】
以上の様に本実施の形態４の食器洗浄機によれば、通常の洗浄時に用いる洗剤と同一の洗剤を用いて、通常洗浄時には除去することが困難な湯飲みに堆積した茶渋を除去することができる食器洗浄機が実現する。
【００５５】
（実施の形態５）
次に、本発明の第５の実施の形態について図面を用いて説明する。図９は本実施の形態５の食器洗浄機の制御手段の動作概念を示す説明図である。制御手段である制御装置８は、サーミスタ１６により洗浄水の温度信号を受け取り、使用者の選択したコース毎にあらかじめ設定された洗浄水の所定温度に到達するまで洗浄ノズル４での洗浄工程時に加熱用ヒーター１３にオンを指示し、サーミスタ１６からの所定温度に到達したと言う信号を制御装置８が受け取ると、加熱用ヒーター１３をオフする。サーミスタ１３と加熱用ヒーター１３が増設された以外は、実施の形態１で説明に用いた図１と同一であり、霧化装置６の運転状況、および洗浄ノズル４の運転状況は、いずれも実施の形態１で説明に用いた図と同一である。
【００５６】
図１０は、通常コース選択時の運転時間と洗浄水温度との関係を説明する図であり、洗浄ノズル４から洗浄水が噴射される動作開始時Ｓ５には温度ｔ１（℃）であり、加熱用ヒーター１３の動作により洗浄ノズル動作終了時Ｓ６には温度ｔ２（℃）に上昇している。
【００５７】
図１１は、漂白コース選択時の運転時間と洗浄水温度との関係を説明する図であり、洗浄ノズル４から洗浄水が噴射される動作開始時Ｓ７には温度ｔ１（℃）であり、加熱用ヒーター１３の動作により洗浄ノズル動作終了時Ｓ８には温度ｔ３（℃）に上昇している。そして、洗浄水の温度は、ｔ３＞ｔ２に設定している。
【００５８】
図１２は本実施の形態１の食器洗浄機の構成を示す断面図である。図１２で、洗浄水の加熱手段である加熱ヒーター１３を洗浄槽２の底面部に増設したこと以外は、実施の形態１で説明に用いた構成図と同一である。
【００５９】
使用者が通常洗浄コースを選択していた場合は、制御装置８は運転時間Ｓ５で洗浄ノズルにオンを指示して洗浄水の噴射が開始され、同時に加熱用ヒーター１３にオンを指示して洗浄水の加熱が始まり、運転時間Ｓ６で洗浄水温度はｔ２（℃）に到達し、洗浄ノズルにオフを指示して、同時に加熱用ヒーター１３にオフを指示して洗浄水の加熱が停止し、Ｔ３（秒）にわたって洗浄ノズルはオン状態となる。なお、上記洗浄水温度はｔ２（℃）に到達してから、Ｓ６になるまで加熱用ヒーター１３をオンオフしてｔ２（℃）を維持するように制御してもよい。
【００６０】
また、使用者が漂白コースを選択していた場合は、制御装置８は、運転時間Ｓ７で洗浄ノズルにオンを指示して洗浄水の噴射が開始され、同時に加熱用ヒーター１３にオンを指示して洗浄水の加熱が始まり、運転時間Ｓ８で洗浄水温度はｔ３（℃）に到達し、洗浄ノズルにオフを指示して、同時に加熱用ヒーター１３にオフを指示して洗浄水の加熱が停止し、Ｔ４（秒）にわたって洗浄ノズルはオン状態となる。なお、上記洗浄水温度はｔ３（℃）に到達してから、Ｓ６になるまで加熱用ヒーター１３をオンオフしてｔ３（℃）を維持するように制御してもよい。なお、ｔ３＞ｔ２、かつＴ４＞Ｔ３である。
【００６１】
以下、本実施の形態５の食器洗浄機を用いて湯飲みに堆積した茶渋に対する漂白性能を評価したので、それについて述べる。茶渋の堆積した湯飲みとしては、実施の形態１と同様に、実際に一般家庭で使用され、丁寧に洗浄されずに放置された湯呑みを使用した。その様な湯呑み５個を食器かご９に下向けに設置し、食器洗浄機用の市販の洗剤５ｇを洗剤投入部７に入れて食器洗浄機を動作させた。
【００６２】
なお本評価では、通常洗浄コースでの霧化装置の霧化時間Ｔ１、漂白コースでの霧化装置の霧化時間Ｔ２、通常洗浄コース選択時の洗浄ノズルの動作時間Ｔ３、漂白コース選択時の洗浄ノズルの動作時間Ｔ４は実施の形態４と同一にし、通常コース選択時及び漂白コース選択時の洗浄ノズル動作開始時の洗浄水の温度ｔ１は実施の形態１と同一の２０℃とし、通常コース選択時にはヒーターを動作させなかったために洗浄ノズル動作終了時の洗浄水の温度ｔ２はｔ１と同じ２０℃であり、漂白コース選択時には加熱ヒーター１３を動作させて洗浄ノズル動作終了時の洗浄水温度ｔ３を６０℃に設定した。
【００６３】
通常洗浄コースで湯飲みを洗浄した場合、茶渋はほとんど除去されなかったのに対して、漂白コースで洗浄を行った場合は、実施の形態４と比較してより白く茶渋が漂白されることが確認できた。
【００６４】
以上の様に本実施の形態４の食器洗浄機によれば、通常の洗浄時に用いる洗剤と同一の洗剤を用いて、通常洗浄時には除去することが困難な湯飲みに堆積した茶渋を除去することができる食器洗浄機が実現する。
【００６５】
（実施の形態６）
次に、本発明の第６の実施の形態について図面を用いて説明する。図１３は、通常洗浄コース選択時のすすぎ工程での運転時間と洗浄ノズル運転状況を示したものであり、図１４は、漂白コース選択時のすすぎ工程での運転時間と洗浄ノズル運転状況を示したものである。
【００６６】
洗浄工程終了後にはすすぎ工程が行われる。通常洗浄コースが選択されている場合は、図１３のように、洗浄ノズル４による洗浄水の噴射による洗浄工程が終了した後に、洗浄槽２内の洗浄水は排水され、新たにすすぎ水が洗浄槽２内に給水された後に洗浄ノズル４によるすすぎ工程は時間Ｓ９に開始される。すすぎ工程の１サイクルとは、すすぎ水の給水と、洗浄ノズル４によるすすぎ水の噴射と、すすぎ水の排水とからなる。
【００６７】
すすぎ工程の各１サイクルで洗浄ノズル４によるすすぎ水の噴射は時間Ｔ５（秒）にわたって行われ、その様なサイクルをＮサイクル繰り返してすすぎ工程は時間Ｓ１０に完了する。すすぎ水の給水及び排水に必要な時間を除けば、Ｓ９、Ｓ１０、Ｔ５の間には
Ｓ１０−Ｓ９＝Ｎ×Ｔ５と言う関係式が成り立つ。
【００６８】
図１４は漂白洗浄コース選択時のすすぎ工程での洗浄ノズルの運転状況を説明する図であり、洗浄ノズル４による洗浄水の噴射による洗浄工程が終了した後に、洗浄槽２内の洗浄水は排水され、新たにすすぎ水が洗浄槽２内に給水された後に洗浄ノズル４によるすすぎ工程は時間Ｓ１１に開始される。
【００６９】
すすぎ工程の各１サイクルで洗浄ノズルによるすすぎ水の噴射は時間Ｔ６（秒）にわたって行われ、その様なサイクルをＭサイクル繰り返してすすぎ工程は時間Ｓ１２に完了する。すすぎ水の給水及び排水に必要な時間を除けば、Ｓ１１、Ｓ１２、Ｔ６の間には
Ｓ１２−Ｓ１１＝Ｍ×Ｔ６と言う関係式が成り立つ。
【００７０】
なお、Ｔ６＜Ｔ５、またはＭ＜Ｎであり、同時にＳ１２−Ｓ１１＜Ｓ１０−Ｓ９が成り立つよう各時間を設定する。
【００７１】
次に本実施の形態６の食器洗浄機の動作について説明する。先ず使用者はあらかじめ所定量の洗剤を洗剤投入部７に置き、その後制御装置８でコースを選択する。次に給水弁３が開状態となり給水が開始され、所定の水位に達すると給水弁３は閉状態となり給水は完了する。
【００７２】
次に霧化装置６が、選択コース毎に定められた所定時間だけ作動する。つまり、通常洗浄コースが選択された場合は図２のＴ１（秒）にわたって作動し、漂白コースが選択された場合は図３のＴ２（秒）にわたって作動する。なお、Ｔ２＞Ｔ１である。
【００７３】
その後、洗浄ノズル４が、選択コース毎に定められた所定時間だけ作動し、ヒーター１３が選択コース毎に定められた所定温度にまで洗浄水を加熱する。つまり、通常洗浄コースが選択された場合は図７のＴ３（秒）にわたって作動し、図１０のｔ２（℃）にまで洗浄水を加熱し、漂白コースが選択された場合は図８のＴ４（秒）にわたって作動し、図１１のｔ３（℃）にまで洗浄水を加熱する。なお、ｔ３＞ｔ２、かつＴ４＞Ｔ３である。
【００７４】
洗浄工程終了後、洗浄水は排水されて、新たにすすぎ水が給水されてすすぎ工程が開始される。通常洗浄コース選択時は、１サイクルＴ５（秒）のすすぎをＮサイクル行い、給水及び排水の時間を除けばすすぎ工程にはＮ×Ｔ５（秒）の時間を要することとなる。
【００７５】
漂白コース選択時は、１サイクルＴ６（秒）のすすぎをＭサイクル行い、給水及び排水の時間を除けばすすぎ工程にはＭ×Ｔ６（秒）の時間を要することとなる。
【００７６】
なお、Ｔ６＜Ｔ５、またはＭ＜Ｎであり、同時にＭ×Ｔ６＜Ｎ×Ｔ５が成り立つよう各時間を設定する。
【００７７】
以下、本実施の形態６の食器洗浄機を用いて湯飲みに堆積した茶渋に対する漂白性能を評価したので、それについて述べる。
【００７８】
茶渋の堆積した湯飲みとしては、実施の形態１と同様に、実際に一般家庭で使用され、丁寧に洗浄されずに放置された湯呑みを使用した。その様な湯呑み５個を食器かご９に下向けに設置し、食器洗浄機用の市販の洗剤５ｇを洗剤投入部７に入れて食器洗浄機を動作させた。
【００７９】
なお本評価では、通常洗浄コースでの霧化装置の霧化時間Ｔ１、漂白コースでの霧化装置の霧化時間Ｔ２、通常洗浄コース選択時の洗浄ノズルの動作時間Ｔ３、漂白コース選択時の洗浄ノズルの動作時間Ｔ４、通常コース選択時及び漂白コース選択時の洗浄ノズル動作開始時の洗浄水の温度ｔ１、通常コース選択時の洗浄ノズル動作終了時の洗浄水の温度ｔ２、漂白コース選択時の洗浄ノズル動作終了時の洗浄水温度ｔ３は実施の形態５と同一に設定した。すすぎ工程でのＮを３サイクル、Ｔ５を６０秒、Ｍを１サイクル、Ｔ６を２０秒に設定した。
【００８０】
通常洗浄コースで湯飲みを洗浄した場合、茶渋はほとんど除去されなかったのに対して、漂白コースで洗浄を行った場合は、実施の形態５と比較してより白く茶渋が漂白されることが確認できた。
【００８１】
以上の様に本実施の形態６の食器洗浄機によれば、通常の洗浄時に用いる洗剤と同一の洗剤を用いて、通常洗浄時には除去することが困難な湯飲みに堆積した茶渋を除去することができる食器洗浄機が実現する。
【産業上の利用可能性】
【００８２】
以上のように本発明にかかる食器洗浄機は、専用の漂白剤を使用することなく、漂白効果を得ることができるので、食器洗浄機として有用である。
【図面の簡単な説明】
【００８３】
【図１】本発明の実施の形態１の食器洗浄機の構成を示す断面図
【図２】同食器洗浄機の制御手段の動作説明図
【図３】同食器洗浄機の通常洗浄コース選択時のタイムチャート
【図４】同食器洗浄機の漂白コース選択時のタイムチャート
【図５】本発明の実施の形態３の食器洗浄機の構成を示す断面図
【図６】同食器洗浄機の制御手段の動作説明図
【図７】本発明の実施の形態４の食器洗浄機の通常洗浄コース選択時のタイムチャート
【図８】同食器洗浄機の漂白コース選択時のタイムチャート
【図９】本発明の実施の形態５の食器洗浄機の制御手段の動作説明図
【図１０】同食器洗浄機の通常洗浄コース選択時の説明図
【図１１】同食器洗浄機の漂白コース選択時の説明図
【図１２】同食器洗浄機の構成を示す断面図
【図１３】本発明の実施の形態６の食器洗浄機の通常洗浄コース選択時のすすぎ工程のタイムチャート
【図１４】同食器洗浄機の漂白コース選択時のすすぎ工程のタイムチャート
【図１５】従来の食器洗浄機の外観斜視図
【図１６】同食器洗浄機の断面図
【図１７】従来の他の例の食器洗浄機の断面図
【符号の説明】
【００８４】
１  本体
２  洗浄槽
３  給水弁（給水手段）
４  洗浄ノズル（洗浄手段）
５  洗浄ポンプ
６  霧化装置（霧化手段）
７  洗剤投入部
８  制御装置（制御手段）
９  食器かご
１２  洗剤投入装置
１３  加熱ヒーター
１４  コース入力装置
１５  水位検知装置
１６  サーミスタ
【図１】
2007244566.tif 000003
【図２】
2007244566.tif 000004
【図３】
2007244566.tif 000005
【図４】
2007244566.tif 000006
【図５】
2007244566.tif 000007
【図６】
2007244566.tif 000008
【図７】
2007244566.tif 000009
【図８】
2007244566.tif 000010
【図９】
2007244566.tif 000011
【図１０】
2007244566.tif 000012
【図１１】
2007244566.tif 000013
【図１２】
2007244566.tif 000014
【図１３】
2007244566.tif 000015
【図１４】
2007244566.tif 000016
【図１５】
2007244566.tif 000017
【図１６】
2007244566.tif 000018
【図１７】
2007244566.tif 000019